(57)【要約】【課題】車内監視カメラシステムに使用するソフトウェアを提供する。【解決手段】車内監視用のカメラシステムにおいて、映像記録サーバ・画像表示装置・ネットカメラ・自動放送装置・記録画像再生装置・メンテナンス装置とから構成され、前記画像記録サーバと画像表示装置とネットカメラのコンポーネントとがＩＰネットワークにて接続されるとともに、前記画像記録サーバのＩＰアドレスが固定されかつ画像表示装置のＩＰアドレスが本体に備え付けられた各車側に切り換えスイッチの状態をセンスして装置側で自動的に決め、更にカメラサーバのアドレスは設置時にメンテナンス装置を接続して行う車内監視用カメラシステムのソフトウェアの提供。【選択図】　図１
2004080414.tif 000002
【特許請求の範囲】
【請求項１】
車内監視用のカメラシステムにおいて、映像記録サーバ・画像表示装置・ネットカメラ・自動放送装置・記録画像再生装置・メンテナンス装置とから構成され、前記画像記録サーバと画像表示装置とネットカメラのコンポーネントとがＩＰネットワークにて接続されることを特徴とする車内監視用カメラシステムのソフトウェア。
【請求項２】
前項画像記録サーバのＩＰアドレスが固定されかつ画像表示装置のＩＰアドレスが本体に備え付けられた各車側に切り換えスイッチの状態をセンスして装置側で自動的に決め、更にカメラサーバのアドレスが設置時にメンテナンス装置を接続して行う請求項１記載の車内監視用カメラシステムのソフトウェア。
【請求項３】
請求項１記載の画像記録サーバに備え付けられている自動放送装置とのインターフェースが、システム起動プログラム・画像取得部・画像保存部・インターフェース部・ＵＰＳコントロール部・システム診断／設定部とから成り、前記それぞれを別々のプロセスとして実装しＲＡＭディスクを通してステータスを投げ合う請求項１及び２記載の車内監視用カメラシステムのソフトウェア。
【請求項４】
請求項３記載の画像記録装置のソフトウェアモジュールが、メモリカードから読み込れたシステム内の全てのモジュールを起動する起動プログラムと、全てのカメラサーバに対して画像取得リクエストを出しかつ画像を取得してＲＡＭディスクに格納する画像取得部と、車速度が約５ｋｍ以下の時にＲＡＭディスク上のファイルをＨＤＤに書き出す画像保存部と、自動放送装置からデータを受け取り最新のデータを展開してＲＡＭディスクに格納する自動放送装置のインターフェース部と、電源断信号を受けて全てのモジュールを停止させてＯＳをシャットダウンするＵＰＳコントロール部と、画像表示装置からの指示でシステムクロックを確認しかつ設定してＨＤＤの状態を報告するシステム診断／設定部とから構成される請求項３記載の車内監視用カメラシステムのソフトウェア。
【請求項５】
請求項１記載の画像表示装置のソフトウェアコンポーネントが、ネットワーク上の画像記録装置のＵＤＰパケットにてブロードキャストする電車の状態を受信してＲＡＭディスク上のファイルシステムに展開する車状態更新モジュールと、スプラッシュ画面を表示している間にネットワークを通じたカメラサーバを確認するスプラッシュ画面と、ネットカメラの画像を要求して取得画像を画面上に表示する表示部と、画像記録装置のシステムクロックを合わせて記録のサーバの診断部にＳＥＴＣＬＯＣＫコマンドを発生させる診断部とから構成される請求項１記載の車内監視用カメラシステムのソフトウェア。
【発明の詳細な説明】
【０００１】
【発明に属する技術分野】
本発明は監視カメラシステムに関するが、詳しくは電車や自動車などの車内に取付られている監視用カメラシステムのソフトウェアに関するものである。
【０００２】
【従来の技術】
従来の車内監視装置としては、例えば特開２００２−１０２４２号の「防犯カメラシステム付車両」や特開平７−２８５３９８号の「バス用車内監視装置」などが開発されている。前者のシステムは、車両内の痴漢や置引きなどを未然に防止するとともに誤認逮捕も防止しかつ鉄道警察隊や鉄道公案職員等の同乗を激減させるシステムであり、具体的には防犯カメラ付車両であることが乗客に容易に分かる表示を車両内外に取り付けて車両内の犯罪を撮影するために車両内天井端または壁面上部に複数のビデオカメラと、このビデオカメラとセットで乗客が犯罪の様子を容易に確認できる複数のモニターテレビと、影像を記録するビデオレコーダーが付いた防犯カメラシステム付き車両である。一方後者の装置は、バスの車内で乗客がトイレの中あるいは給湯器の前に移動していることを自動的に検知して運転席に表示する装置であり、具体的にはバスの車内に設置されたトイレ内に乗客が移動していることを自動的に検知するセンサを備え、このセンサの感応出力を運転席に配置された表示回路に表示するとともに、給湯器を備えている場合にも、同様のセンサおよび表示回路を設置し乗客がいることを検知し表示する方法である。
【０００３】
このような従来方法は、ビデオカメラとモニターテレビを使用して画像を送信する方法とその送信にセンサーを使用する方法であり、現在多くの電車やバスなどで用いられているシステムでもある。
【０００４】
【発明が解決しようとする課題】
かかる従来システムに改良を加えて最新技術を取り入れた車内監視用カメラシステムのソフトウェアを開発するところに本発明が解決しようとする課題を有する。
【０００５】
【課題を解決するための手段】
本発明は上記の如き課題を解決するために開発したものであって、車内監視用のカメラシステムにおいて映像記録サーバ・画像表示装置・ネットカメラ・自動放送装置・記録画像再生装置・メンテナンス装置とから構成され、前記画像記録サーバと画像表示装置とネットカメラのコンポーネントとがＩＰネットワークにて接続されることを特徴とする車内監視用カメラシステムのソフトウェアの提供にあり、また前記画像記録サーバのＩＰアドレスが固定されかつ画像表示装置のＩＰアドレスが本体に備え付けられた各車側に切り換えスイッチの状態をセンスして装置側で自動的に決め、更にカメラサーバのアドレスが設置時にメンテナンス装置を接続して行う車内監視用カメラシステムのソフトウェアの提供にあり、また前記の画像記録サーバに備え付けられている自動放送装置とのインターフェースがシステム起動プログラム・画像取得部・画像保存部・インターフェース部・ＵＰＳコントロール部・システム診断／設定部とから成り、前記それぞれを別々のプロセスとして実装しＲＡＭディスクを通してステータスを投げ合う車内監視用カメラシステムのソフトウェアの提供にあり、また前記の画像記録装置のソフトウェアモジュールがメモリカードから読み込れたシステム内の全てのモジュールを起動する起動プログラムと、全てのカメラサーバに対して画像取得リクエストを出しかつ画像を取得してＲＡＭディスクに格納する画像取得部と、車速度が約５ｋｍ以下の時にＲＡＭディスク上のファイルをＨＤＤに書き出す画像保存部と、自動放送装置からデータを受け取り最新のデータを展開してＲＡＭディスクに格納する自動放送装置のインターフェース部と、電源断信号を受けて全てのモジュールを停止させてＯＳをシャットダウンするＵＰＳコントロール部と、画像表示装置からの指示でシステムクロックを確認しかつ設定してＨＤＤの状態を報告するシステム診断／設定部とから構成される車内監視用カメラシステムのソフトウェアの提供にあり、更に前記の画像表示装置のソフトウェアコンポーネントがネットワーク上の画像記録装置のＵＤＰパケットにてブロードキャストする電車の状態を受信してＲＡＭディスク上のファイルシステムに展開する車状態更新モジュールと、スプラッシュ画面を表示している間にネットワークを通じたカメラサーバを確認するスプラッシュ画面と、ネットカメラの画像を要求して取得画像を画面上に表示する表示部と、画像記録装置のシステムクロックを合わせて記録のサーバの診断部にＳＥＴＣＬＯＣＫコマンドを発生させる診断部とから構成される車内監視用カメラシステムのソフトウェアの提供にある。
【０００６】
【発明の実施の形態】
本発明の実施形態は、車内監視用のカメラシステムにおいて映像記録サーバ・画像表示装置・ネットカメラ・自動放送装置・記録画像再生装置・メンテナンス装置とから構成され、前記画像記録サーバと画像表示装置とネットカメラのコンポーネントとがＩＰネットワークにて接続されることを特徴とする車内監視用カメラシステムのソフトウェアであり、また前記画像記録サーバのＩＰアドレスが固定されかつ画像表示装置のＩＰアドレスは本体に備え付けられた各車側に切り換えスイッチの状態をセンスして装置側で自動的に決め、更にカメラサーバのアドレスが設置時にメンテナンス装置を接続して行う車内監視用カメラシステムのソフトウェアであるから、従来システムより迅速で高品質な画像を送信することができる。
【０００７】
また本発明の実施形態は、前記の画像記録サーバに備え付けられている自動放送装置とのインターフェースがシステム起動プログラム・画像取得部・画像保存部・インターフェース部・ＵＰＳコントロール部・システム診断／設定部とから成り、前記それぞれを別々のプロセスとして実装しＲＡＭディスクを通してステータスを投げ合う車内監視用カメラシステムのソフトウェアであり、また前記画像記録装置のソフトウェアモジュールがメモリカードから読み込れたシステム内の全てのモジュールを起動する起動プログラムと、全てのカメラサーバに対して画像取得リクエストを出しかつ画像を取得してＲＡＭディスクに格納する画像取得部と、車速度が約５ｋｍ以下の時にＲＡＭディスク上のファイルをＨＤＤに書き出す画像保存部と、自動放送装置からデータを受け取り最新のデータを展開してＲＡＭディスクに格納する自動放送装置のインターフェース部と、電源断信号を受けて全てのモジュールを停止させてＯＳをシャットダウンするＵＰＳコントロール部と、画像表示装置からの指示でシステムクロックを確認しかつ設定してＨＤＤの状態を報告するシステム診断設定部とから構成される車内監視用カメラシステムのソフトウェアであるから、特徴を有するソフトウェアモジュールを使用することによって画像記録装置の機能性を高めることが可能となる。
【０００８】
更に本発明の実施形態は、前記の画像表示装置のソフトウェアコンポーネントがネットワーク上の画像記録装置のＵＤＰパケットにてブロードキャストする電車の状態を受信してＲＡＭディスク上のファイルシステムに展開する車状態更新モジュールと、スプラッシュ画面を表示している間にネットワークを通じたカメラサーバを確認するスプラッシュ画面と、ネットカメラの画像を要求して取得画像を画面上に表示する表示部と、画像記録装置のシステムクロックを合わせて記録のサーバの診断部にＳＥＴＣＬＯＣＫコマンドを発生させる診断部とから構成される車内監視用カメラシステムのソフトウェアであるから、前記同様な特徴を有するソフトウェアコンポーネントを使用することによって画像表示装置の機能性を高めることが可能となる。
【０００９】
【実施例】
以下、図面によって本発明の実施例について説明する。
【００１０】
図１は、本発明からなる車内監視用カメラシステムを示したものであり、図１はそのコンポーネントであり図２はそのソフトウェアモジュールとでありそれぞれを示したものである。本図からも明らかのように、本発明システムを構成するコンポーネントは電車などの車内に画像記録サーバ・画像表示装置・ネットカメラ・自動放送装置・記録画像再生装置（デスクトップＰＣ或いはノートＰＣ）・メンテナンス装置（ノートＰＣ）とが配設されている。そして、画像記録サーバと画像表示装置とネットカメラのコンポーネントは、ＩＰネットワークを介して接続されている。また、画像記録サーバのＩＰアドレスは固定されており、画像表示装置のＩＰアドレスは本体に備え付けられた１号車側／４号車側切り換えスイッチの状態をセンスして装置側で自動的に決定されている。一方、カメラサーバのアドレスは設置時にメンテナンス装置（ノートＰＣ）を接続して行うことになっている。更に、自動放送装置からは走行中の駅コードの情報と電車の停止ステータスとが非常警報スイッチの状態等で送られてくる。なお、画像記録サーバのＨＤＤは取り外し可能になっており、記録画像を見る必要が生じたときに取り外して事務所に持ち帰り再生するようにしてある。
【００１１】
次に、本実施例で使用されている画像記録サーバによれば、起動メモリカード（ＣＦ）から起して記録用ＨＤＤには１秒サイクルで８つのカメラの影像を７２時間分以上を記録される。また、ＨＤＤへの書き込みは電車が停止しているときに限定され走行中はメモリに書き込むことになっており、一方記録用のＨＤＤはミラー構成されハードウェアのミラーユニットを付けて記録用ＨＤＤは取り外しが可能になっている。また、ＲＳ−２３２Ｃで自動放送装置が流すデータを受け取り自動放送装置から受け取ったデータは表示装置も使い、一方システムクロックを表示装置から変更できる機能にするとともにシステムの故障診断機能をも有している。また、バッテリバックアップされた電源をもらい電源断の信号はパラレルポートで受けとるとともに電源断の信号を受けて安全に停止する機能になっている。また、非常通報ボタンとドア開等の非常情報があるブロックは最大７２時間分まで保存され自動的にはクリアされないようになっており、全ての非常情報を表示装置からクリアする機能を有している。また非常情報をもつブロックはこの機能によってのみクリアされる。
【００１２】
更に、本実施例で使用されている自動放送装置のインターフェースは、路線情報・走行中の駅名・電車速度が５ｋｍ以下信号等を送信するとともにＲＳ−２３２Ｃの９６００ｂｐｓで接続して２００ｍｓにデータを送ってくるようになっている。更に、メモリカードにはＣＯＭＰＡＣＴＦＬＡＳＨ（登録商標）を用いＣＯＭＰＡＣＴＦＬＡＳＨ（登録商標）のインターフェースをＡＴＡのＨＤＤの互換のインターフェースに変換するユニットを使用する。またＣＯＭＰＡＣＴＦｌａｓｈ（登録商標）の容量は６４ＭとするとともにＯＳはＦｒｅｅＢＳＤ４．４とする。また、メモリは５１２Ｍｂｙｔｅとし１００Ｍｂｙｔｅ程度のＲＡＭディスクを設定し容量は駅の間隔に依存する。また、ＲＡＭディスクが溢れそうになったとき電車走行中であってもＨＤＤに書き込みＲＡＭディスクからＨＤＤへの書き込みは電車停止とドア開で行うよになっている。また記録用ＨＤＤの容量は４０ＧＢとするとともにＩＰアドレスは固定とするとともに記録用ＨＤＤの理論フォーマットはＭＳ−ＤＯＳの３２ｂｉｔＦＡＴを使用する。また、あらかじめファイルを作っておき録画記録サーバ上ではブロックの再配置が起きないようにする。一方、自動放送装置から受け取ったデータはネットワーク上にブロードキャストする必要がある。また、ＬＥＤは２つ付け一つはシステム動作でもう一つはＨＤＤＢＵＳＹでありパラレルポートに接続されている。また、ＨＤＤの切り替えはサーバが止まった状態で行いそのためにＵＰＳの電源を一時的に遮断するスイッチをＨＤＤベイの扉の中に用意するとともにＲＡＩＤコントローラはＡＲＡＩＤ−９９を用いている。なお、ＨＤＤの異常検出はＲＡＩＤコントロールが出す信号をシリアルポートから受けることで行うようにしてある。
【００１３】
更に、本実施例で使用されているソフトウェアコンポーネントは、システム起動プログラム・画像取得部・画像保存部・自動放送装置のインターフェース部・ＵＰＳコントロール部・システム診断／設定部のブロックとから構成されており、それぞれ別々のプロセスとして実装してＲＡＭディスクを通してステータスを投げ合うシステムになっている。そして、起動プログラムはＣｏｍｐａｃｔＦｌａｓｈ（登録商標）メモリカードからまず読み込まれておりシステム内の全てのモジュールを起動するプログラムである。また画像取得部は全てのカメラサーバに対して画像取得リクエストを出すとともに画像を取得してＲＡＭディスクに格納されている。また、画像保存部は電車の速度が５ｋｍ以下の時にＲＡＭディスク上のファイルをＨＤＤに書き出すことになっている。また、自動放送装置のインターフェース部は自動放送装置からＲＳ−２３２Ｃ経由でデータを受け取り最新のデータを展開してＲＡＭディスクに格納されている。また、ＵＰＳコントロール部は電源断信号を受け全てモジュールを停止させてＯＳをシャットダウンさせている。また、システム診断／設定部は表示装置からの表示でシステムクロックの確認しかつ設定してＨＤＤの状態で報告などを行うことになっている。
【００１４】
更に、本実施例で使用されている外部インターフェースは、シリアル１の放送装置とシルアル２の記録用ＨＤＤ（ミラーユニット）とパラレルの電源断・ＬＥＤとから成っている。また、ＨＤＤ上のファイルフォーマットはＭＳ−ＤＯＳの３２ｂｉｔＦＡＴフォーマットを使用し、一枚の画像は大きく見積もって１６ｋ未満であると仮定して１６ｋの固定サイズで格納する。そして、一つの画像を格納する領域は１６ｋでそこには２５６バイトのステータス情報を含み３分用のファイルの先頭にはファイル識別のためのタグ情報とそのファイルに非常通報やドア開通報などの異常信号が記録されているか、若しくはサマリ情報を格納するためのブロックを１６ｋバイトで取るようにしてある。
【００１５】
次に、本実施例で使用されている画像表示装置であるがＬＣＤ表示装置・秒４コマ以上表示・「切」スイッチ・全表示「入」スイッチ・監視車両指定ボタン（８つ）・自動表示ＬＥＤ・起動時スプラッシュ画面表示・キーシーケンス診断モード・ワンマンモード設定・電源落下とにより構成されている。そして画面レイアウトは画面４分割で２車両分前後のカメラ画像を表示する４画面表示モードと画面２分割し、１車両分の前後のカメラ画像を表示する２画面表示モードと表示装置にある「画像選択スイッチ」を押すとスイッチに対応した画像が拡大されて表示し続けられる１画面表示モードとから構成されている。
【００１６】
更に、本実施例で使用されている外部とのインターフェースはＬＣＤの下にある表示画像の切り替える操作スイッチと、表示装置が１号車側にあるか４号車側にあるかを設定する前後切り替えスイッチと、運転レバーが前側に入っているかどうかの情報用の運転レバーとから構成されている。
【００１７】
更に、本実施例で使用されているソフトウェアコンポーネントは、電車状態更新モジュール・スプラッシュ画面・表示部・診断部とから構成されている。電車状態更新モジュールは、ネットワーク上に画像記録装置がＵＤＰパケットにブロードキャストする「電車の状態」を受信してＲＡＭディスク上のファイルシステムに展開するようになっている。また、スプラッシュ画面はＯＳが起動してＸ−Ｗｉｎｄｏｗ（登録商標）が起動したらスプラッシュ画面を出すようになっている。また、表示部は表示部がアクティブになる条件が整ったときに活性化されてアクティブになる条件は全画面ボタンが押された・１画面ボタンが押された・異常状態が発生したのいずれかであり、ネットカメラに画像を要求して取得画像を画面上に表示されることになっている。また、診断部は特別なキーシーケンスで活性化され画像記録装置のシステムクロックに合わせ記録サーバの診断部にＳＥＴＣＬＯＣＫコマンドを発生するようになっている。
【００１８】
更に、本実施例で使用されている記録画像再生装置は、Ｗｉｎｄｏｗｓ（登録商標）２０００／９８／９８ＳＥ／９８Ｍｅ等で使えるようにしてあり、記録した画像の表示と保存記録した画像を塊として保存する機能を有している。また、メンテナンス装置はｔｅｌｎｅｔターミナルとネットカメラにＩＰを組み合わせたツールとカメラに画像要求を取得する構成になっている。
【００１９】
【発明の効果】
本発明は、車内監視用のカメラシステムにおいて、映像記録サーバ・画像表示装置・ネットカメラ・自動放送装置・記録画像再生装置・メンテナンス装置とから構成され、前記画像記録サーバと画像表示装置とネットカメラのコンポーネントとがＩＰネットワークにて接続されることを特徴とする車内監視用カメラシステムのソフトウェアであり、また前記画像記録サーバのＩＰアドレスが固定されかつ画像表示装置のＩＰアドレスが本体に備え付けられた各車側に切り換えスイッチの状態をセンスして装置側で自動的に決め、更にカメラサーバのアドレスが設置時にメンテナンス装置を接続して行う車内監視用カメラシステムのソフトウェアであり、また前記の画像記録サーバに備え付けられている自動放送装置とのインターフェースがシステム起動プログラム・画像取得部・画像保存部・インターフェース部・ＵＰＳコントロール部・システム診断／設定部とから成り、前記それぞれを別々のプロセスとして実装しＲＡＭディスクを通してステータスを投げ合う車内監視用カメラシステムのソフトウェアであり、また前記画像記録装置のソフトウェアモジュールがメモリカードから読み込れたシステム内の全てのモジュールを起動する起動プログラムと全てのカメラサーバに対して画像取得リクエストを出しかつ画像を取得してＲＡＭディスクに格納する画像取得部と車速度が約５ｋｍ以下の時にＲＡＭディスク上のファイルをＨＤＤに書き出す画像保存部と自動放送装置からデータを受け取り最新のデータを展開してＲＡＭディスクに格納する自動放送装置のインターフェース部と電源断信号を受けて全てのモジュールを停止させてＯＳをシャットダウンするＵＰＳコントロール部と、画像表示装置からの指示でシステムクロックを確認しかつ設定してＨＤＤの状態を報告するシステム診断／設定部とから構成される車内監視用カメラシステムのソフトウェアであり、また前記の画像表示装置のソフトウェアコンポーネントがネットワーク上の画像記録装置のＵＤＰパケットにてブロードキャストする電車の状態を受信してＲＡＭディスク上のファイルシステムに展開する車状態更新モジュールとスプラッシュ画面を表示している間にネットワークを通じたカメラサーバを確認するスプラッシュ画面とネットカメラの画像を要求して取得画像を画面上に表示する表示部と画像記録装置のシステムクロックを合わせて記録のサーバの診断部にＳＥＴＣＬＯＣＫコマンドを発生させる診断部とから構成される車内監視用カメラシステムのソフトウェアであるから、本発明からなるソフトウェアに画像伝送装置に非常情報装置を組合せれば非常通報は発生時やドアー開異常などの際に乗務員はカメラ映像と音声とで非常事態になったことを迅速かつ的確に認識できるとともに、状況に合せたきめの細かい情報把握ができるので車両運転管理に多大な効果が期待できる。
【００２０】
更に、本発明からなるソフトウェアを用いた車両用の画像伝送監視システムには次のような多くの特徴が得られる。
ア、車両間引き通し線（伝送線）が、２芯シールド線１対のためにシステム構築が簡単である。
イ、記録装置はハードディスクを使用し７２時間連続画像をＪＰＥＧ型式で記録するが、ハードディスクの振動対策として走行中はＩＣメモリに記憶させて停車時にハードディスクに記録することができる。
ウ、車両電源投入により電源が入るが、ワンマン条件・停車中／走行中条件・或いは操作部のスイッチ操作によりモニタリング機能を制御することが可能となる。
エ、ハードディスクには、２台同時に稼働させるミラーリングシステムを採用している。
オ、表示画面は４画面表示他に手動操作で、カメラ指定の１画面表示切換ができる。
カ、非常通報やドア開異常などあった時には停車中／走行中に関わらず、その車両２個のカメラ映像を写すことが可能となる。
キ、複数の発生車両があれば５秒間隔で順次映像を表示することが可能である。
ク、表示画面には日付表示は勿論のこと、電車の走行地点を駅名で表示して駅停車毎に駅名は自動更新することができる。
ケ、電源投入と同時に自己診断機能が動作して、故障時画面に故障内容を表示することが可能となる。
コ、ハードディスクの記録画像を、ダウンロードすることができる。
【図面の簡単な説明】
【図１】本発明に使用されるカメラシステムのコンポーネントを示した説明概要図。
【図２】本発明に使用される画像記録装置のソフトウェアモジュールを示した説明概要図。
【図１】
2004080414.tif 000003
【図２】
2004080414.tif 000004